(57)【要約】      （修正有）【課題】ボタンキーをシャーシと分離した構造で、シリコンゴムパッキン等へのグリースの塗布をなくし、組立、分解作業が容易に行うことができて、無線機内部への浸水を防止できる携帯無線機の防水構造を提供する。【解決手段】  携帯無線機のケース本体１０１と、シャーシ１０７間にパッキング材１０９が挟み込まれた携帯無線機の防水構造において、上記ケース本体は、上記パッキング材を保持する保持部２０４を有し、上記パッキング材は、上記ケース本体と上記シャーシ間の全周にわたる帯状のパッキング材からなり、上記帯状のパッキング材は、その内部に上記シャーシを支持する支持部材２０３を有し、上記ケース本体の上記保持部に上記帯状のパッキング材が保持され、上記帯状のパッキング材の上記支持部材に上記シャーシが保持されるように構成される。【選択図】  図２
2006025276.tif 000002
【特許請求の範囲】
【請求項１】
携帯無線機のケース本体と、シャーシ間にパッキング材が挟み込まれた携帯無線機の防水構造において、上記ケース本体は、上記パッキング材を保持する保持部を有し、上記パッキング材は、上記ケース本体と上記シャーシ間の全周にわたる帯状のパッキング材からなり、上記帯状のパッキング材は、その内部に上記シャーシを支持する支持部材を有し、上記ケース本体の上記保持部に上記帯状のパッキング材が保持され、上記帯状のパッキング材の上記支持部材に上記シャーシが保持されることを特徴とする携帯無線機の防水構造。
【請求項２】
携帯無線機のケース本体に設けられた穴部と、上記穴部に移動自在に設けられると共に上記穴部を機密に封止する弾性部材と、上記弾性部材を押圧するスイッチカバーと、シャーシに設けられたスイッチボタンとからなり、上記スイッチカバー、上記弾性部材および上記スイッチボタンを順次配置し、上記スイッチカバーを押圧することにより上記弾性部材を介して上記スイッチボタンをＯＮ、ＯＦＦすることを特徴とする携帯無線機のボタン構造。
【発明の詳細な説明】
【技術分野】
【０００１】
本発明は、携帯無線機の防水構造に関し、特に、携帯無線機の組立て部分からの浸水を防ぎ、且つ、組立て、分解作業が容易な携帯無線機の防水構造に関するものである。
【背景技術】
【０００２】
屋外で使用される携帯無線機や携帯電話器等の電子機器の筐体は、内部に雨水等が侵入しないように防水構造であることが望まれる。この防水構造には、種々のものが提案されている。例えば、従来の業務用携帯無線機の防水構造について、図６を用いて説明する。図６（ａ）は、業務用携帯無線機の正面外観図、図６（ｂ）は、図６（ａ）の線分Ａ−Ａでの断面図を示している。図６（ａ）において、６０１は、フロントカバー（または、ケース本体とも言う。）、６０２は、表示用のデイスプレーまたは表示部、６０３は、スピーカ、６０４は、マイク、６０５は、モード選択ボタン、６０６は、電源スイッチである。また、図６（ｂ）において、６０７は、シャーシ、６０８は、電子部品を搭載した基板（詳細は図示せず。）である。６０９は、シリコンゴムパッキン、６１０は、電池カバーである。シャーシ６０７のフロントカバー６０１側には、電子部品を搭載した基板６０８が設けられているため、フロントカバー６０１とシャーシ６０７とで形成される空間は、雨水等の浸水を防ぐ防水構造とする必要がある。
【０００３】
図７は、図６に示す業務用携帯無線機の分解図を示す斜視図である。なお、図７は、図６（ａ）の正面を下にした分解図が示されている。図７において、７０１−１、７０１−２は、シリコンゴムパッキン６０９を挟み込み溝部、７０２は、フロントカバー６０１に設けられたボタン類形成の凹部を示す。ここで、この業務用携帯無線機の組立てを説明すると、まず、シャーシ６０７をシリコンゴムパッキン６０９の空間部７０３に挿入し、シリコンゴムパッキン６０９をシャーシ６０７の挟み込み溝部７０１−１に装着し、その後にシリコンゴムパッキン６０９の残りの部分をシャーシ６０７の挟み込み溝部７０１−２に装着し、シャーシ６０７の挟み込み溝部７０１−１、７０１−２の全周にシリコンゴムパッキン６０９を装着する。このようにして構成されたシリコンゴムパッキン６０９を装着されたシャーシ６０７をフロントカバー（ケース本体）６０１の周囲に設けられた挟み込み溝部７０４に装着すると、フロントカバー６０１とシャーシ６０７が勘合され、フロントカバー６０１とシャーシ６０７で形成される空間が浸水を防ぐ防水構造となるので、基板等に設けられた電子部品を浸水から防ぐことができる。
【０００４】
而して、この従来の業務用携帯無線機は、シャーシ６０７の挟み込み溝部７０１−１、７０１−２に防水を施すシリコンゴムパッキン６０９を挟み込んだ後、防水用のシリコーングリスをシャーシ側とフロントカバー内壁に塗布し組立を行い防水仕様を満足させる構造である。しかしながらこのシリコンゴムパッキン６０９を挟み込んで防水を確保するシリコンゴムパッキン６０９の形状が３次元形状であるためシリコンゴムパッキン６０９の接触圧力が弱く、その部分から内部に浸水を起こすことがあり、業務用携帯無線機の性能を低下させたり、故障の原因になっていた。また、３次元形状のシリコンゴムパッキン６０９の形成およびシャーシ６０７の挟み込み溝部７０１−１、７０１−２の加工が難しく、正確にシャーシ６０７の挟み込み溝部７０１−１、７０１−２にシリコンゴムパッキン６０９を装着するためには、製造時にカット＆トライを繰返す等の修正加工が必要であり、製作のコストと時間がかかる問題があった。また、このような構造の業務用携帯無線機は、組立、分解時に治具等が必要であった。
【０００５】
また、図８は、上記業務用携帯無線機に用いられるボタンキーの要部の一部構成を示す図である。なお、図８に示す図は、上記業務用携帯無線機の側面の一部を示しており、図６と同じものには、同じ符号が付されている。図８において、８０１は、ボタンホルダ、８０２は、スイッチカバー、８０３は、クッション、８０４は、ゴムパッキン、８０５は、スイッチボタンである。このボタンキーの構造について以下に概略説明する。まず、ゴムパッキン８０４は、シャーシ６０７に設けられた穴部８０６に挿入されている。そして、このゴムパッキン８０４の支持部８０７は、シャーシ６０７に設けられた凹部８０８に嵌め込まれ、固定されると共にゴムパッキン８０４の支持部８０７とシャーシ６０７の凹部８０８は、機密に保たれ、シャーシ６０７に設けられた穴部８０６から雨水等の浸水を防ぐ防水構造となっている。
【０００６】
スイッチカバー８０２は、これを操作者が指等で押すことにより押下され、押下圧力がゴムパッキン８０４を介してスイッチボタン８０５に伝えられ、スイッチボタン８０５がＯＮまたはＯＦＦの動作をするように構成されている。なお、クッション８０３は、操作者がスイッチカバー８０２の押下を止めた場合、スイッチカバー８０２を元の状態に復帰するためのクッションの働きをするものである。
【０００７】
而して、図８に示す上記業務用携帯無線機に用いられるボタンキーの構成は、シャーシ６０７に穴部８０６を設け、この穴部にゴムパッキン８０４を設け、スイッチボタン８０５を押す構造になっている。このようにゴムパッキン８０４をシャーシ６０７に設けた場合、ボタンキーの構造がシャーシの厚み分だけ肉厚になる問題がある。また、ゴムパッキン８０４の外側表面、即ち、シャーシ６０７まで雨水等が侵入し、防水の信頼性に問題が生じる。更に、シャーシ６０７には、各種部品や、スイッチ類が設けられるので、ボタンホルダ８０１やスイッチカバー８０２を大きくし、任意形状による操作者の操作性を向上する等の改善が難しかった。
【０００８】
また、電子機器の防水構造（例えば、特許文献１参照）には、電子機器のケース本体とシャーシ間にパッキングを挟み込まれた防水構造の技術が示されている。
【０００９】
【特許文献１】特開平１１−８７９４２号公報
【発明の開示】
【発明が解決しようとする課題】
【００１０】
従来の無線機では、フロントカバーとシャーシとの間にゴムパッキングを挟み込まれた防水構造のものが知られているが、形状が３次元形状であるためシリコンゴムパッキンの接触圧力が弱く、その部分から内部に浸水を起こすことがあり、業務用携帯無線機の性能を低下させたり、故障の原因になっていた。また、３次元形状のシリコンゴムパッキンの形成およびシャーシの挟み込み溝部の加工が難しく、正確にシャーシの挟み込み溝部にシリコンゴムパッキンを装着するためには、製造時にカット＆トライを繰返す等の修正加工が必要であり、製作のコストと時間がかかる問題があった。
【００１１】
また、シャーシにボタンキーを設ける構造では、無線機が肉厚になること、シャーシ外表面まで水につかる為、防水性の信頼性に問題がある。更に、スイッチカバーを任意形状にして操作者の操作し易いボタンキーを作成できない問題点がある。
【００１２】
本発明の目的は、無線機内部への浸水を防止できる携帯無線機の防水構造を提供することである。
【００１３】
本発明の他の目的は、シリコンゴムパッキン等へのグリースの塗布をなくし、組立、分解作業が容易に行うことができる携帯無線機の防水構造を提供することである。
【００１４】
本発明の他の目的は、ボタンキーをシャーシと分離した構造の携帯無線機の防水構造を提供することである。
【００１５】
本発明の更に他の目的は、ボタンキーの操作性の優れた携帯無線機の防水構造を提供することである。
【課題を解決するための手段】
【００１６】
本発明は、携帯無線機のケース本体と、シャーシ間にパッキング材が挟み込まれた携帯無線機の防水構造において、上記ケース本体は、上記パッキング材を保持する保持部を有し、上記パッキング材は、上記ケース本体と上記シャーシ間の全周にわたる帯状のパッキング材からなり、上記帯状のパッキング材は、その内部に上記シャーシを支持する支持部材を有し、上記ケース本体の上記保持部に上記帯状のパッキング材が保持され、上記帯状のパッキング材の上記支持部材に上記シャーシが保持されるように構成される。
【００１７】
また、本発明の携帯無線機の防水構造において、上記パッキング材は、弾性体からなり、上記ケース本体に上記帯状のパッキング材を介して上記シャーシが装着される時、上記帯状のパッキング材の厚み方向の一部が変形するように構成される。
【００１８】
更に、本発明の携帯無線機のボタン構造は、携帯無線機のケース本体に設けられた穴部と、上記穴部に移動自在に設けられると共に上記穴部を機密に封止する弾性部材と、上記弾性部材を押圧するスイッチカバーと、シャーシに設けられたスイッチボタンとからなり、上記スイッチカバー、上記弾性部材および上記スイッチボタンを順次配置し、上記スイッチカバーを押圧することにより上記弾性部材を介して上記スイッチボタンをＯＮ、ＯＦＦするように構成される。
【発明の効果】
【００１９】
以上説明したように、本発明によれば、簡単な構造で電子部品等を収納する部分を完全に機密に保持することができるので、信頼性の高い無線機を実現できる。また、グリースの塗布を無くす防水構造であり、組立てや、分解を容易に行うことのできる防水構造を実現できる。更に、パッキンの構造がシンプルであるため、フロントカバーの左右に力が加わらずカバーの変形を防ぐことができる。
【００２０】
また、ボタンキーをフロントカバーに設けることによりシャーシと分離した構造とすることができるので、完全な防水構造とすることができる。また、ボタン構造の薄肉化およびスイッチカバーの表面領域の大型化が可能になる等、操作のし易い無線機を実現できる特徴がある。
【発明を実施するための最良の形態】
【００２１】
図１は、本発明の一実施例を示す外観図である。図１（ａ）は、本発明の一実施例の正面外観図、図１（ｂ）は、図１（ａ）の線分Ｂ−Ｂでの断面図を示している。図１（ａ）において、１０１は、フロントカバー（または、ケース本体とも言う。）、１０２は、表示用のデイスプレーまたは表示部、１０３は、スピーカ、１０４は、マイク、１０５は、モード選択ボタン、１０６は、電源スイッチ、１１１は、ボタンキーである。また、図１（ｂ）において、１０７は、シャーシ、１０８は、電子部品を搭載した基板（詳細は図示せず。）である。１０９は、シリコンゴムパッキンで、詳細については後述する。１１０は、電池カバーである。シャーシ１０７のフロントカバー１０１側には、電子部品を搭載した基板１０８が設けられているため、フロントカバー１０１とシャーシ１０７とで形成される空間は、雨水等の浸水を防ぐ防水構造となっている。１１２、１１３、１１４は、スイッチボタン、１１５は、スイッチボタン装着部を示し、これについても後述する。
【００２２】
上述した本発明の一実施例は、デジタル業務用ＴＤＭＡ（Time Division Multiple Access）方式に使用される無線機であり、巾５５ｍｍ×長さ１００ｍｍ×高さ３０ｍｍの大きさで、重さは、約２４０ｃｃの極めて小型、軽重量の無線機を実現している。従って、小型にするために防水構造が工夫され、また、操作性を良くするためにボタンキーも大きく作られている。以下、構造の詳細を図２〜図５を用いて説明する。
【００２３】
図２は、図１に示す本発明の一実施例の分解図を示す斜視図である。図２（ａ）は、図１（ａ）の正面を下にした分解図が示されている。また、図２（ｂ）は、図２（ａ）の点線で囲まれる円部２０１の拡大図を示す。なお、円部２０１の拡大図は、フロントカバー１０１、シリコンゴムパッキン１０９およびシャーシ１０７が組合わされた状態を示している。図２（ａ）において、シリコンゴムパッキン１０９は、帯状の形状を持ち、断面形状は、図２（ｂ）に示すように巾約１０ｍｍ×厚さ約０．７ｍｍ（装着された場合の厚さを示す。）で、フロントカバー１０１の内面２０２に密着するように構成され、また、フロントカバー１０１の支持部２０４で帯状シリコンゴムパッキン１０９が支持されるように構成される。この帯状シリコンゴムパッキン１０９は、突起部２０３を有し、この突起部２０３は、シャーシ１０７を支持する支持部材となっている。なお、この突起部２０３は、帯状シリコンゴムパッキン１０９の全周にわたって形成されている。そして、フロントカバー１０１に帯状シリコンゴムパッキン１０９およびシャーシ１０７が組合わされた状態では、帯状シリコンゴムパッキン１０９は、フロントカバー１０１にシャーシ１０７により押付けられ、厚みが約５〜１５％程度圧縮された状態になり、この部分で機密状態が保たれるように設計されている。従って、図２（ｂ）では、巾約１０ｍｍ×厚さ約０．７ｍｍで示されているが、装着前の帯状シリコンゴムパッキン１０９は、巾約１０ｍｍ×厚さ約０．８ｍｍの断面を有している。また、この帯状シリコンゴムパッキン１０９は、シリコンゴムに限らず、弾性体で機密封止に適する材料であれば特に限定されるものではない。
【００２４】
ここで、上述した本発明の一実施例の組立てを説明すると、まず、フロントカバー１０１に帯状シリコンゴムパッキン１０９を嵌め込むと、帯状シリコンゴムパッキン１０９は、フロントカバー１０１の支持部２０４で支持された状態で固定される。この状態でシャーシ１０７を挿入すると、帯状シリコンゴムパッキン１０９の挿入部分が圧縮され、シャーシ１０７が挿入され、シャーシ１０７を支持する支持部材２０３（帯状シリコンゴムパッキン１０９の突起部２０３と同じ）に支持され固定される。勿論、必要に応じてシャーシ１０７は、フロントカバー１０１にネジ止めされることは言うまでもない。このように構成することによりフロントカバー１０１とシャーシ１０７で構成される空間２０５は、浸水を防ぐ防水構造となるので、この空間２０５に設けられる基板上の電子部品を浸水から防ぐことができる。なお、フロントカバー１０１の支持部２０４を凹部に構成し、帯状シリコンゴムパッキン１０９をこの凹部に挿入するように構成することもできる。また、この方が機密封止には適している。
【００２５】
次に、スイッチボタンについて説明する。図４は、スイッチボタン装着部１１５に装着されているスイッチボタンの正面図を示す。図４において、４０１は、プレストークスイッチ、４０２および４０３は、ボリュームスイッチで、ボリュームスイッチ４０２は、音を大きくするスイッチ、ボリュームスイッチ４０３は、音を小さくするスイッチである。また、図５は、スイッチカバーで、例えば、ボリュームスイッチ４０２のスイッチカバーの正面図を示す。以下、ボタン構造について、例えば、ボリュームスイッチ４０２について詳細に説明する。なお、他のボリュームスイッチ４０３、プレストークスイッチ４０１についても類似の構造であるので、詳細な説明は省略する。
【００２６】
図３は、本発明のボタンキーの要部の構成の一実施例を示す図である。なお、図３に示す図は、本実施例の側面の一部を示している。図３において、１０１は、図１に示すフロントカバー（または、ケース本体とも言う。）である。３０１は、ボタンホルダ、３０２は、スイッチカバーであり、正面図は、図５に示されている。３０３は、クッション、３０４は、ゴムパッキン、３０５は、スイッチボタンである。
【００２７】
このボタンキーの構造について以下に概略説明する。まず、ゴムパッキン３０４は、フロントカバー１０１に設けられた穴部３０６に挿入されている。そして、このゴムパッキン３０４の支持部３０７は、フロントカバー１０１に設けられた凹部３０８に嵌め込まれ、固定されると共にゴムパッキン３０４の支持部３０７とフロントカバー１０１の凹部３０８は、機密に保たれ、フロントカバー１０１に設けられた穴部３０６から雨水等の浸水を防ぐ防水構造となっている。なお、ゴムパッキン３０４は、弾性体であれば良く、ゴムパッキンに限定されるものではない。３０９は、シャーシ、３１０は、電子機器等の部品が搭載されている基板である。従って、シャーシ３０９とフロントカバー１０１で構成される空間（図２（ｂ）に示す空間２０５に相当する。）がゴムパッキン３０４で機密に保持される。
【００２８】
スイッチカバー３０２は、これを操作者が指等で押すことにより押下され、押下圧力がゴムパッキン３０４を介してスイッチボタン３０５に伝えられ、スイッチボタン３０５がＯＮまたはＯＦＦの動作をするように構成されている。なお、クッション３０３は、操作者がスイッチカバー３０２の押下を止めた場合、スイッチカバー３０２を元の状態に復帰するためのクッションの働きをするものである。
【００２９】
このように本発明のボタンキーの構造は、フロントカバー１０１、スイッチカバー３０２、クッション３０３、ゴムパッキン３０４およびスイッチボタン３０５から構成されている。即ち、図８の従来のボタンキーの構造では、ゴムパッキン８０４は、シャーシ６０７に設ける構造となっているが、図３に示す本発明の一実施例では、ゴムパッキン３０４は、フロントカバー１０１に設ける構造となっている。従って、従来のシャーシにゴムパッキンを設ける構造のものより、無線機の肉厚分を薄くすることが可能になる。更に、スイッチカバー３０２のボス高さを低くすることで、ボタンホルダ３０１の高さを、抑えることが出来、ボタン構造の小型化が実現出来る。
【００３０】
また、フロントカバー１０１にゴムパッキン３０４を設けることで、シャーシ３０９とは分離した構造となり、ボタンキーの方向からの水の浸入がフロントカバー１０１で防ぐことが出来るので、シャーシ３０９の外表面まで水に浸かることを防ぐ防水構造を実現している。
【００３１】
更に、フロントケース１０１側にボタンキーを設けた構造であるため、スイッチカバー３０２およびボタンホルダ３０１の形状をフロントカバー１０１の形状の下で適宜な大きさにすることが出来る。従って、スイッチカバー３０２の表面積の大型化を実した操作性の優れたボタンキーを実現している。
【００３２】
以上、本発明について詳細に説明したが、本発明は、ここに記載された携帯無線機の防水構造の実施例に限定されるものではなく、上記以外の無線機の防水構造に広く適応することが出来ることは、言うまでも無い。
【図面の簡単な説明】
【００３３】
【図１】本発明の一実施例の外観図を示す。
【図２】図１に示す本発明の一実施例の分解図の斜視図を示す。
【図３】本発明のボタンキーの要部の構成の一実施例を示す図である。
【図４】本発明の一実施例のスイッチボタン装着部の正面図を示す
【図５】本発明の一実施例のスイッチカバーの正面図を示す
【図６】従来の携帯無線機の一例の外観図を示す。
【図７】図６に示す携帯無線機の一例の分解図の斜視図を示す。
【図８】図６に示す携帯無線機のボタンキーの要部の構成の一例を示す図である。
【符号の説明】
【００３４】
１０１、６０１：フロントカバー、１０２、６０２：表示部、１０３、６０３：スピーカ、１０４、６０４：マイク、１０５、６０５：モード選択ボタン、１０６、６０６：電源スイッチ、１０７、３０９、６０７：シャーシ、１０８、３１０、６０８：基板、１０９、６０９：シリコンゴムパッキン、１１０、６１０：電池カバー、１１１：ボタンキー、１１２、１１３、１１４：スイッチボタン、１１５：スイッチボタン装着部、２０２：フロントカバーの内面、２０３：シャーシを支持する支持部材、２０４：フロントカバーの支持部、２０５：無線機の機密空間、３０１、８０１：ボタンホルダ、３０２、８０２：スイッチカバー、３０３、８０３：クッション、３０４、８０４：ゴムパッキン、３０５、８０５：スイッチボタン、３０６：スイッチカバーに設けられた穴部、３０７、８０７：ゴムパッキンの支持部、３０８：フロントカバーに設けられた凹部、４０１：プレストークスイッチ、４０２、４０３：ボリュームスイッチ、７０１：シャーシの挟み込み溝部、７０２：ボタン類形成の凹部、８０６：シャーシに設けられた穴部、８０８：シャーシに設けられた凹部。
【図１】
2006025276.tif 000003
【図２】
2006025276.tif 000004
【図３】
2006025276.tif 000005
【図４】
2006025276.tif 000006
【図５】
2006025276.tif 000007
【図６】
2006025276.tif 000008
【図７】
2006025276.tif 000009
【図８】
2006025276.tif 000010